(57)【要約】【課題】  マルハナバチ入りの巣箱の輸送中に、蜜容器の給蜜口から糖蜜の流出を防止すると共に、給蜜口の開放を外箱の外から行うことができるようにしたこと。【解決手段】  外箱２内に収納されるマルハナバチ巣箱本体５と、その下部に設けられた蜜容器６とより成るマルハナバチ巣箱１において、前記蜜容器６に設けられる蜜口筒体１１の給蜜口１２に、蜜栓フィルム１４を接着し、この蜜栓フィルム１４の一部が前記外箱２に形成の引き出し穴１６より外部に引き出されていること。【選択図】        図１
2007020534.tif 000002
【特許請求の範囲】
【請求項１】
外箱と、この外箱内に収納されるマルハナバチ巣箱本体と、その下部に設けた蜜容器とより成るマルハナバチ巣箱において、
前記蜜容器に設けられる蜜口筒体の給蜜口に、蜜栓フィルムを接着すると共に、この蜜栓フィルムは、その一部が前記外箱に形成した引き出し穴より外部に引き出されていることを特徴とするマルハナバチ巣箱。
【請求項２】
前記蜜栓フィルムの蜜口筒体の給蜜口への接着を熱圧着としたことを特徴とする請求項１記載のマルハナバチ巣箱。
【請求項３】
前記蜜口筒体は、上方に給蜜口が形成され、内部中空部に繊維束が収容されていることを特徴とする請求項１又は２記載のマルハナバチ巣箱。
【発明の詳細な説明】
【技術分野】
【０００１】
この発明は、輸送時に蜜容器から蜜が漏れるのを防止したマルハナバチ巣箱に関する。
【背景技術】
【０００２】
送粉昆虫としてミツバチが用いられているが、このミツバチは、リンゴ、いちご等の受粉に利用されてきている。しかし、花に蜜のないトマト、ナス等にはミツバチが訪花しないため、これらトマト、ナス等の受粉に利用することはできなかった。これに対し、外来種蜂、例えばヨーロッパに分布するセイヨウオオマルハナバチは女王を持ち、蜜と花粉を集める習性を有するため、ヨーロッパにおいてはトマト、ナス等の受粉昆虫として利用が実用化され、また日本においても実用化されるに至っている。
【０００３】
マルハナバチは、該ハチの生産者が注文主の依頼に応じてマルハナバチ巣箱内に入れたまま輸送している。現在用いられているマルハナバチ巣箱は、外箱内に下から糖蜜入りの蜜容器が収納され、その上に巣箱本体が載置された構成となっている。このような構成の特許文献は発見できなかったが、マルハナバチ巣箱の特許文献１がある。
【特許文献１】特開平１１−１０３７１１
【０００４】
前記蜜容器は、マルハナバチの食料となる糖蜜を入れておくもので、トマト、ナス等の花蜜がない植物の受粉作業を行わせるため、不足分となる蜜を補充するためである。蜜容器は樹脂により作られ、一端に上方へ立設する蜜口筒体が取付られ、この蜜口筒体内に繊維束が装着されており、毛管作用により糖蜜を給蜜口へ吸い上げる仕様となっている。この給蜜口は前記した巣箱本体の下端に形成の格子状の蜜吸い部に接触しており、マルハナバチは巣箱本体内から吸蜜できるようになっている。
【発明の開示】
【発明が解決しようとする課題】
【０００５】
前記蜜口筒体の給蜜口は、常時露出した状態にあり、輸送時の振動や傾斜置きにより、内部の糖蜜の圧力が高まり、給蜜口より液漏れ事故が頻発している。そこで、給蜜口に蓋（キャップ）することが考えられるが、注文主が到着後に外箱の蓋を開き、外箱から巣箱本体を取り出し、そして給蜜口より蓋を外す作業をしなければならない手間のみならず、巣箱本体の出し入れの際に巣箱の換気スリットから興奮したハチに刺される危険があり問題であった。
【０００６】
そこで、この発明は、輸送時に給蜜口は閉じられ、給蜜口の開放は外箱の外から行うことが出来るマルハナバチ巣箱を提供することにある。
【課題を解決するための手段】
【０００７】
この発明に係るマルハナバチ巣箱は、外箱と、この外箱内に収納されるマルハナバチ巣箱本体と、その下部に設けた蜜容器とを収納したマルハナバチ巣箱において、前記蜜容器に設けられる蜜口筒体の給蜜口に、蜜栓フィルムを接着すると共に、この蜜栓フィルムは、その一部が前記外箱に形成した引き出し穴より外部に引き出されていることにある（請求項１）。これにより、蜜栓フィルムが蜜口筒体の給蜜口を閉じ、輸送時等にも蜜が給蜜口より流出することがない。また、蜜栓フィルムを引っ張れば簡単に外れて給蜜口を開けられる。
【０００８】
また、巣箱を開けることなく外部に引き出されている蜜栓フィルムを引っ張れば、給蜜口を外部より容易に開けられる。
【０００９】
前記蜜栓フィルムの蜜口筒体の給蜜口への接着を熱圧着したことにある（請求項２）。前記蜜口筒体は、上方に給蜜口が形成され、内部中空部に繊維束が収納されている（請求項３）。この繊維束により、糖蜜を毛管作用により給蜜口に至らせしめている。
【発明の効果】
【００１０】
以上のように、この発明によれば、蜜容器の蜜口筒体の給蜜口が蜜栓フィルムにて覆われていることから、輸送時等にも蜜を流出させることがない。また、引き出されている蜜栓フィルムを引っ張れば外部より巣箱を開けずに給蜜口を開けることができる（請求項１）。
【発明を実施するための最良の形態】
【００１１】
以下、この発明の実施例を図面にもとづいて説明する。
【実施例】
【００１２】
図１乃至図３において、マルハナバチ巣箱１は、ダンボール製の外箱２と、その内側に発泡スチロール製の断熱材３を介して巣箱本体５とその下に蜜容器６が収納されている。巣箱本体５は、樹脂製等の箱形状で、全面にわたり換気スリットが形成されている他に、マルハナバチが住むのに最適な環境となるように形成されている。
【００１３】
この巣箱本体５の前方底部に、蜜吸い部８が形成され、該蜜吸い部８はスリットが形成されることで、該スリットを介してマルハナバチが口を入れ下記する給蜜口１２から吸蜜される。９はマルハナバチの出入口用の穴である。
【００１４】
蜜容器６はビニールなどの樹脂製のもので、内部に糖蜜が収容され、その一端に蜜口筒体１１が設けられている。この蜜口筒体１１は、中空の筒部１１ａと、その内部に収納される繊維束１１ｂとより成り、下端が蜜容器６に入り、上端が外部に突出して設けられている。
【００１５】
前記した蜜口筒体１１は、その上端が給蜜口１２となっており、前記巣箱本体５の蜜吸い部８に近接又は接触している。この蜜口筒体１１の給蜜口１２は、所望の注文主に到着する前、即ち受粉活動前までは、給蜜口１２に薄い樹脂製の蜜栓フィルム１４が接着している。即ち、蜜栓フィルム１４は給蜜口１２の周縁に熱圧着されている。従って、図１に示すように、輸送時に給蜜口１２が閉じられて、糖蜜が流出することがない。
【００１６】
この蜜栓フィルム１４は、断熱材３及び外箱２に形成の横長の引き出し穴１６からその一部が外部へ引き出されている。従って、この引き出されている蜜栓フィルム１４を外部より引っ張ることで、図４に示すように、蜜栓フィルム１４を給蜜口１２よりはがすことができ、吸蜜が可能となる。
【図面の簡単な説明】
【００１７】
【図１】この発明の実施例を示す断面図である。
【図２】同上の発明にあって、蜜口筒体の斜視図である。
【図３】同上の発明にあって、マルハナバチ巣箱の正面方向から見た斜視図である。
【図４】蜜栓フィルムを引っ張って、給蜜口より取り外した状態（使用状態）の断面図である。
【符号の説明】
【００１８】
１  マルハナバチ巣箱
２  外箱
３  断熱材
５  巣箱本体
６  蜜容器
８  蜜吸い部
１１  蜜口筒体
１２  給蜜口
１４  蜜栓フィルム
【図１】
2007020534.tif 000003
【図２】
2007020534.tif 000004
【図３】
2007020534.tif 000005
【図４】
2007020534.tif 000006